(57)【要約】【課題】破断線を用いずに開封することができ、かつ、開封時に蓋フラップが破れにくい、包装体の開封用罫線構造を提供する。【解決手段】包装箱２は、包装箱２の外面に接着剤３２で接着される蓋フラップ２４により封緘されている。接着剤３２は、左右方向に間隔を置いて並ぶ複数個所の接着部３３で蓋フラップ２４の内面と包装箱２の外面を接着するように塗布されている。蓋フラップ２４には、複数個所の接着部３３同士の間を通って、上下方向に対して傾斜して延びる、蓋フラップ２４の外面が窪んだ複数本の谷折線２６が形成されている。蓋フラップ２４を包装箱２の外面から引き剥がして包装箱２を開封するときに、蓋フラップ２４が谷折線２６に沿って変形する。【選択図】図６
0003225485.tif 000002
【実用新案登録請求の範囲】
【請求項１】
包装体（２）の外面に接着剤（３２）で接着されて前記包装体（２）を封緘する蓋フラップ（２４）を有し、
前記接着剤（３２）は、左右方向に間隔をおいて並ぶ複数箇所の接着部（３３）で前記蓋フラップ（２４）の内面と前記包装体（２）の外面を接着するように塗布され、
前記蓋フラップ（２４）には、前記複数箇所の接着部（３３）同士の間を通って、上下方向に対して傾斜して延びる複数本の谷折線（２６）が形成され、
前記蓋フラップ（２４）を前記包装体（２）の外面から引き剥がして前記包装体（２）を開封するときに、前記蓋フラップ（２４）が前記谷折線（２６）に沿って変形するようにした包装体の開封用罫線構造。
【請求項２】
前記蓋フラップ（２４）の上縁には、前記蓋フラップ（２４）の内面の側が窪んだフラップ罫線（２３）が形成され、
前記複数本の谷折線（２６）は、それぞれ、前記フラップ罫線（２３）と前記蓋フラップ（２４）の下端とを結ぶように、前記蓋フラップ（２４）を上下に横断して形成されている請求項１に記載の包装体の開封用罫線構造。
【請求項３】
前記複数本の谷折線（２６）は、互いに平行に延びる直線状に形成されている請求項１または２に記載の包装体の開封用罫線構造。
【請求項４】
前記複数本の谷折線（２６）は、前記蓋フラップ（２４）の左右方向の一端から他端にかけての全域において、それぞれ上下方向に対して同方向に傾斜し、互いに平行に延びる直線状に形成されている請求項３に記載の包装体の開封用罫線構造。
【請求項５】
左右方向に隣り合う互いに平行な前記谷折線（２６）同士の間に、略ひし形の谷折線非形成部（２７）が形成されている請求項３または４に記載の包装体の開封用罫線構造。
【請求項６】
前記複数本の谷折線（２６）は、それぞれ上下方向に対して３０°〜６５°の傾斜角（θ）をもって傾斜している請求項３から５のいずれかに記載の包装体の開封用罫線構造。
【請求項７】
前記谷折線（２６）は、前記蓋フラップ（２４）の外面が窪んだ逆罫線である請求項１から６のいずれかに記載の包装体の開封用罫線構造。
【請求項８】
前記包装体（２）の上部開口を閉じる蓋板（２２）をさらに有し、
前記蓋フラップ（２４）は、前記蓋板（２２）の前縁に前記蓋フラップ（２４）の上縁が重なるように、前記フラップ罫線（２３）を介して前記蓋板（２２）に設けられ、前記フラップ罫線（２３）に沿って下方に折り曲げられている請求項２から７のいずれかに記載の包装体の開封用罫線構造。
【請求項９】
前記蓋フラップ（２４）は段ボールで形成され、前記蓋フラップ（２４）の段目方向が上下方向である請求項１から８のいずれかに記載の包装体の開封用罫線構造。
【考案の詳細な説明】
【技術分野】
【０００１】
この考案は、包装体の開封用罫線構造に関する。
【背景技術】
【０００２】
近年、インターネットを利用した通信販売やオークションサービス（いわゆるネット通販やネットオークション）の普及が進んでいる。一般に、ネット通販やネットオークションでは、商品を、段ボール等により形成された包装箱に収容し、商品の購入者に配送する。商品の購入者は、その包装箱を開封して商品を取り出す。このように、近年のネット通販やネットオークションの普及に伴い、一般消費者が自ら包装箱を開封する機会が増えている。
【０００３】
上記のように用いられる包装箱として、特許文献１の図１に記載のものが知られている。特許文献１の図１の包装箱は、底板と、底板から上方に延びる胴部と、胴部の上部開口を閉じる蓋板と、蓋板の前縁に沿って形成されたフラップ罫線に沿って下方に折り曲げられた蓋フラップとを有している。特許文献１の包装箱は、蓋フラップを、包装箱の外面に接着剤で接着して封緘される。この接着剤は、左右方向に間隔をおいて並ぶ複数箇所の接着部で蓋フラップの内面と包装箱の外面を接着するように塗布されている。
【先行技術文献】
【特許文献】
【０００４】
【特許文献１】実用新案登録第３２１１０６７号公報
【考案の概要】
【考案が解決しようとする課題】
【０００５】
ところで、特許文献１の包装箱を開封するときには、蓋フラップの内面と包装箱の外面との隙間に指を入れ、蓋フラップの下端を持ち上げるようにして、蓋フラップを包装箱の外面から引き剥がす。
【０００６】
ここで、蓋フラップを左右方向の全幅にわたって同時に引き剥がそうとすると、非常に大きな力が必要となる。そこで、まずは蓋フラップの左右方向の一端を指で持ち上げて、蓋フラップの一端を包装箱の外面から引き剥がし、その後、蓋フラップの指で持ち上げる位置をずらずことによって、蓋フラップを引き剥がす範囲を、蓋フラップの左右方向の他端に向けて拡大し、これにより、蓋フラップの全体を包装箱の外面から引き剥がすことが多い。
【０００７】
しかしながら、上記のように、蓋フラップの左右方向の一端を引き剥がし、その後、蓋フラップを引き剥がす範囲を、蓋フラップの左右方向の他端に向けて拡大する場合、蓋フラップが左右方向の途中で、蓋フラップの下端から上端まで裂けるように破れてしまうことがあった。蓋フラップが左右方向の途中で破れてしまうと、再びその位置から蓋フラップを引き剥がす作業を再開する必要があり、開封作業が煩雑である。
【０００８】
そこで、特許文献１の図６には、上記の包装箱を開封しやすくするため、包装箱の外面に接着される蓋フラップに、破断線（ジッパー、ミシン目等）を形成した包装箱が示されている。破断線は、蓋フラップの各接着部よりも上側の部分を、蓋フラップの左右方向の一端から他端まで延びて形成されている。
【０００９】
この包装箱を開封するには、蓋フラップの破断線よりも下側の部分を、左右方向の一端から他端に向かって包装箱の外面から引き剥がす。すると、蓋フラップが、破断線に沿って２つに分断されながら、包装箱から引き剥がされていく。そして、蓋フラップの破断線よりも下側の部分を、蓋フラップの左右方向の一端から他端まで完全に引き剥がすと、蓋フラップの包装箱の外面への接着部分がなくなるので、蓋板が開く状態となる。この包装箱のように、蓋フラップに、ジッパーやミシン目等の破断線を形成すると、包装箱の開封作業が容易となるが、破断線に沿って蓋フラップの切り離された部分が端材となり、その端材を廃棄する手間が生じてしまう。このため、ジッパーやミシン目等の破断線を用いずに包装箱を開封しやすくするための開封用の構造について要望があった。
【００１０】
そこで、この考案の課題は、破断線を用いずに開封することができ、かつ、開封時に蓋フラップが破れにくい、包装体の開封用罫線構造を提供するものである。
【課題を解決するための手段】
【００１１】
上記課題を解決するため、この考案では、以下の構成の包装体の開封用罫線構造を提供する。
包装体の外面に接着剤で接着されて前記包装体を封緘する蓋フラップを有し、
前記接着剤は、左右方向に間隔をおいて並ぶ複数箇所の接着部で前記蓋フラップの内面と前記包装体の外面を接着するように塗布され、
前記蓋フラップには、前記複数箇所の接着部同士の間を通って、上下方向に対して傾斜して延びる複数本の谷折線が形成され、
前記蓋フラップを前記包装体の外面から引き剥がして前記包装体を開封するときに、前記蓋フラップが前記谷折線に沿って変形するようにした包装体の開封用罫線構造である。
【００１２】
このようにすると、蓋フラップを包装体の外面から引き剥がすときに、蓋フラップが谷折線に沿って変形するため、蓋フラップが破れにくい。すなわち、蓋フラップの左右方向の一端を包装体の外面から引き剥がし、その後、蓋フラップを引き剥がす範囲を、蓋フラップの左右方向の一端から他端に向けて拡大するときに、蓋フラップが谷折線に沿って変形し、蓋フラップの非接着部が浮き上がる。ここで、谷折線が上下方向に対して傾斜して延びているため、非接着部の浮き上がる範囲が、上下方向に対して傾斜して延びる比較的広い範囲となるように蓋フラップの変形が誘導され、蓋フラップの左右方向の途中の一箇所にせん断力が集中しにくい。そのため、開封時に、蓋フラップが左右方向の途中で、蓋フラップの下端から上端まで裂けるように破れるのを防止することができる。また、破断線を用いずに開封することが可能である。
【００１３】
前記蓋フラップの上縁には、前記蓋フラップの内面の側が窪んだフラップ罫線が形成され、
前記複数本の谷折線は、それぞれ、前記フラップ罫線と前記蓋フラップの下端とを結ぶように、前記蓋フラップを上下に横断して形成されているのが好ましい。
【００１４】
このようにすると、谷折線が蓋フラップを上下に横断して形成されているので、蓋フラップを包装体の外面から引き剥がすときに、蓋フラップの非接着部の浮き上がる範囲が、上下方向に対して傾斜して延びる比較的広い範囲となるように、蓋フラップの変形を確実に誘導することが可能となる。
【００１５】
前記複数本の谷折線は、互いに平行に延びる直線状に形成されているのが好ましい。
【００１６】
このようにすると、複数本の谷折線は、互いに平行で、同方向に傾斜しているので、一箇所の接着部が剥がされて、蓋フラップの同箇所が浮き上がると、この浮き上がった箇所の接着部に隣り合う谷折線に沿って、蓋フラップがさらに変形する。この変形により、さらに隣の接着部が剥がれやすくなる。このように、蓋フラップを引き上げると、引き上げた箇所から近い接着部から順番に、連続的に各接着部が剥がれやすくなる。このため、蓋フラップを引き上げて、蓋フラップを包装体から一気に引き剥がしやすくなる。
【００１７】
前記複数本の谷折線は、前記蓋フラップの左右方向の一端から他端にかけての全域において、それぞれ上下方向に対して同方向に傾斜し、互いに平行に延びる直線状に形成されているのが好ましい。
【００１８】
このようにすると、蓋フラップを引き上げると、蓋フラップの左右方向の一端から他端にかけての全域において、連続的に各接着部が剥がれやすくなる。このため、より確実に蓋フラップを包装体から一気に引き剥がしやすくなる。
【００１９】
左右方向に隣り合う互いに平行な前記谷折線同士の間に、略ひし形の谷折線非形成部が形成されているのが好ましい。
【００２０】
このようにすると、蓋フラップを引き上げたときに、蓋フラップの略ひし形の谷折線非形成部が浮き上がる。この谷折線非形成部が略ひし形をなしているため、蓋フラップの浮き上がる範囲もより広いものとなり、蓋フラップを包装体の外面から引き剥がしやすくなる。
【００２１】
前記複数本の谷折線は、それぞれ上下方向に対して３０°〜６５°の傾斜角をもって傾斜しているのが好ましい。
【００２２】
このようにすると、蓋フラップを引き剥がすときに、上下方向に対して３０°〜６５°傾斜する谷折線に沿って蓋フラップが変形するため、蓋フラップの非接着部の浮き上がる範囲が、左右方向に比較的広くなる。このため、蓋フラップを包装体から引き剥がしやすくなり、包装体はより開封しやすいものとなる。
【００２３】
前記谷折線は、前記蓋フラップの外面が窪んだ逆罫線であるものとすることができる。
【００２４】
前記包装体の上部開口を閉じる蓋板をさらに有し、
前記蓋フラップは、前記蓋板の前縁に前記蓋フラップの上縁が重なるように、前記フラップ罫線を介して前記蓋板に設けられ、前記フラップ罫線に沿って下方に折り曲げられているものとすることができる。
【００２５】
前記蓋フラップは、段ボールで形成することができる。ここで、前記蓋フラップの段目方向が、上下方向である場合、特に蓋フラップが左右方向の途中で破れる問題が生じやすいが、上記の考案を適用することにより、包装体の開封時に、蓋フラップが左右方向の途中で、蓋フラップの下端から上端まで裂けるように破れるのを効果的に防止することが可能となる。
【考案の効果】
【００２６】
この考案の包装体の開封用罫線構造は、蓋フラップを包装体の外面から引き剥がすときに、蓋フラップが谷折線に沿って変形するため、蓋フラップが破れにくい。すなわち、蓋フラップの左右方向の一端を包装体の外面から引き剥がし、その後、蓋フラップを引き剥がす範囲を、蓋フラップの左右方向の一端から他端に向けて拡大するときに、蓋フラップが谷折線に沿って変形し、蓋フラップの非接着部が浮き上がる。ここで、谷折線が上下方向に対して傾斜して延びているため、非接着部の浮き上がる範囲が、上下方向に対して傾斜して延びる比較的広い範囲となるように蓋フラップの変形が誘導され、蓋フラップの左右方向の途中の一箇所にせん断力が集中しにくい。そのため、開封時に、蓋フラップが左右方向の途中で、蓋フラップの下端から上端まで裂けるように破れるのを防止することができる。また、破断線を用いずに開封することが可能である。
【図面の簡単な説明】
【００２７】
【図１】この考案の実施形態の包装箱のブランクを表ライナ側から見た図
【図２】この考案の実施形態の蓋体のブランクを表ライナ側から見た図
【図３】図２に示す蓋体のブランクの蓋フラップの近傍を示す拡大図
【図４】図３に示す蓋フラップに形成された引き上げ部の近傍を示す拡大図
【図５】図１に示すブランクを組み立てて得られる包装箱と、図２に示す蓋体のブランクとを示す斜視図
【図６】図５に示す包装箱を封緘した状態を示す斜視図
【図７】図６に示す包装箱を開封した状態を示す斜視図
【図８】図６に示す包装箱の、蓋フラップの近傍を示す拡大図
【図９】図６に示す蓋フラップの引き上げ部を引き上げた状態を示す斜視図
【図１０】図６に示す包装箱の開封途中の状態を示す斜視図
【図１１】図６に示す包装箱の開封途中の状態を示す斜視図
【図１２】谷折線が弓形状をなす場合の蓋フラップを示す拡大図
【図１３】この考案の包装箱としてラップアラウンドケースを用いた場合の、ラップアラウンドケースのブランクを表ライナ側からみた図
【図１４】図１３に示すブランクの蓋フラップの近傍を示す拡大図
【図１５】図１３に示すブランクを組み立てて得られる包装箱を示す斜視図
【考案を実施するための形態】
【００２８】
以下、図面を参照しつつ、この考案の実施形態にかかる包装体の開封用罫線構造（以下、単に「開封用罫線構造」と称する。）について説明する。この実施形態の包装体は、図１に示すブランク４から形成される直方体状の包装箱である。
【００２９】
図１に包装箱２のブランク４を示し、図２に蓋体３のブランク５を示す。ブランク４，５は、表ライナと、裏ライナと、表ライナと裏ライナの間に挟まれた波形の中しんとをもつ段ボールで形成されている。図１はブランク４を、図２はブランク５をそれぞれ表ライナ側からみた図である。
【００３０】
図１に示すようにブランク４は、矩形の底板７と、左右一対の側板８と、左右一対のフラップ１６と、前面板１０と、後面板１１とを有する。底板７の左縁に、罫線１２を介して左側の側板８が連設され、その側板８の左縁に罫線１４を介して左側のフラップ１６が連設されている。同様に、底板７の右縁に、罫線１２を介して右側の側板８が連設され、その側板８の右縁に罫線１４を介して右側のフラップ１６が連設されている。
【００３１】
前面板１０は、底板７の前縁に、罫線１３を介して連設されている。後面板１１は、底板７の後縁に、罫線１３を介して連設されている。前面板１０と後面板１１の左右の側縁には、罫線１５を介して内折り面板１７が連設されている。
【００３２】
側板８と、前面板１０と、後面板１１は、ブランク４を組み立てたときに、包装箱２の胴部２０（図５参照）を構成する部分である。このとき、ブランク４の表ライナは、包装箱２の胴部２０の外周面を構成し、裏ライナは、包装箱２の胴部２０の内周面を構成する。
【００３３】
図２に示すように、蓋体３のブランク５は、矩形の蓋板２２と、蓋板２２の前縁と後縁のそれぞれにフラップ罫線２３を介して連設された蓋フラップ２４，２５とを有する。蓋板２２の段目方向は、前後方向（一対の蓋フラップ２４，２５の一方から他方に向かう方向）である。フラップ罫線２３は、ブランク５の、左右方向の一端から他端に向かって延びている。フラップ罫線２３は、図６に示すように蓋体３を組み立てたときに、蓋フラップ２４，２５の内面の側が窪むように形成されている。すなわち、フラップ罫線２３は、ブランク５の裏ライナの側が窪むように形成されている。
【００３４】
フラップ罫線２３は、図６に示すように蓋体３を組み立てた状態で、蓋フラップ２４の上縁となる縁に沿って形成されている。
【００３５】
図２、図３に示すように、蓋フラップ２４には、複数本の谷折線２６が形成されている。各谷折線２６は、この実施形態では、図６に示すように蓋体３を組み立てた状態で、蓋フラップ２４の外面の側（ブランク５の表ライナの側）が窪んだ溝状の逆罫線を採用している。各谷折線２６は、フラップ罫線２３と、蓋フラップ２４の下端とを結ぶように、蓋フラップ２４を上下方向に横断している。各谷折線２６は、蓋フラップ２４の左右方向の一端から他端にかけての全域において、互いに平行な直線状に形成されている。各谷折線２６は、蓋フラップ２４の左右方向の一端から他端にかけて、等間隔に並んでいる。隣り合う谷折線２６同士の間隔Ｌ２は、蓋フラップ２４の左右方向の一端から他端までの長さＬ４の、１０％〜２０％である。
【００３６】
各谷折線２６は、右下がりになるように、上下方向に対して傾斜角θをもって傾斜している。すなわち、谷折線２６は、蓋フラップ２４の段目方向に沿って延びる想像線Ａとの間に、傾斜角θをもっている。この傾斜角θは、３０°〜６５°（好ましくは４５°〜６０°）である。
【００３７】
図３に示すように、隣り合う谷折線２６同士の間のそれぞれに、谷折線非形成部２７が形成されている。谷折線非形成部２７は、フラップ罫線２３と、蓋フラップ２４の下端と、隣り合う谷折線２６とで区切られた、谷折線２６の形成されていない領域である。谷折線非形成部２７は、フラップ罫線２３から蓋フラップ２４の下端にかけて、蓋フラップ２４を上下方向に横断するように形成されている。谷折線非形成部２７は、略ひし形をしている。ここで、略ひし形とは、隣り合う２辺の長さが同一であるか、または略等しい平行四辺形をいう。谷折線２６の長さＬ３は、隣り合う谷折線２６同士の間隔Ｌ２の９０％〜１３０％（好ましくは１００％〜１２０％）の値に設定されている。
【００３８】
図３、図４に示すように、蓋フラップ２４の下端と、蓋フラップ２４の左右方向の一端（図では左端）との間に、蓋フラップ２４を引き上げるための引き上げ部２８が形成されている。引き上げ部２８は、等間隔に並ぶ罫線２９，３０，３１を有する。罫線２９，３０，３１は、蓋フラップ２４の外面が窪むように形成されている。すなわち、罫線２９，３０，３１は、ブランク５の表ライナ側が窪むように形成されている。罫線２９，３０，３１は、谷折線２６に平行なように、上下方向に対して傾斜する直線状に形成されている。引き上げ部２８の縁部、すなわち、蓋フラップ２４の下端と、蓋フラップ２４の左右方向の一端（図では左端）との間の縁部は、円弧状に形成されている。
【００３９】
図１に示すブランク４は、例えば、以下のようにして組み立てることができる。
【００４０】
一対の側板８をそれぞれ罫線１２に沿って折り曲げる。また、各内折り面板１７を罫線１５に沿って折り曲げ、この状態で、前面板１０と後面板１１とを罫線１３に沿って折り曲げる。このときに、内折り面板１７の外面（内折り面板１７の表ライナ側の面）が側板８の内面（側板８の裏ライナ側の面）に重なるようにする。すると、側板８、前面板１０、後面板１１のそれぞれが、底板７から立ち上がった状態となる。次に、各内折り面板１７の外面を側板８の内面に接着し、胴部２０を形成する。次に、フラップ１６を、罫線１４に沿って胴部２０の内側に向かって折り曲げる。
【００４１】
以上によって、ブランク４が組み立てられ、図５に示す包装箱２が形成される。包装箱２が組み立てられた状態で、側板８は、前面板１０と後面板１１とを連結するように、前面板１０の側縁と後面板１１の側縁との間に架け渡されている。この状態で、左右一対の側板８同士は対向している。また、前面板１０と後面板１１とが対向している。底板７は、胴部２０の下端を閉じている。胴部２０の上端は開口している。
【００４２】
包装箱２は、例えば、以下のように封緘することができる。
【００４３】
蓋体３を、胴部２０の上部開口を閉じるように配置する。すなわち、蓋板２２が、前面板１０の上縁と後面板１１の上縁との間に架け渡されるように、蓋板２２を、フラップ１６の上に配置する。このとき、前面板１０の上縁とフラップ罫線２３とが重なり、後面板１１の上縁とフラップ罫線２３とが重なるようにする。この状態で、蓋フラップ２４、２５は、それぞれ側板８よりも外側に延びている。このとき、蓋フラップ２４、２５の内面に接着剤３２を塗布する。
【００４４】
次に、蓋フラップ２４、２５をそれぞれフラップ罫線２３に沿って下方に折り曲げる。折り曲げられた蓋フラップ２４の内面が、前面板１０の外面に重なり、蓋フラップ２４は接着剤３２によって前面板１０に接着される。同様に、折り曲げられた蓋フラップ２５の内面が、後面板１１の外面に重なり、蓋フラップ２５は接着剤３２によって後面板１１に接着される。
【００４５】
以上によって、図６に示すように、包装箱２と蓋体３とが接着されて包装箱２が封緘された状態になる。図７に示すように、蓋フラップ２４を前面板１０から引き剥がすことで、包装箱２を開封することができる。
【００４６】
ここで、図８に示すように、接着剤３２は、複数個所の接着部３３に塗布される。複数個所の接着部３３は、左右方向に等間隔に並んでいる。各接着部３３は、左右方向に隣り合う谷折線２６同士の間のそれぞれに設けられている。すなわち、各接着部３３は、左右方向に隣り合う谷折線非形成部２７のそれぞれに重なるように設けられている。また、各接着部３３は、それぞれ谷折線２６に重ならないように設けられている。これにより、蓋フラップ２４の内面が包装箱２の外面に接着された状態で、複数本の谷折線２６は、左右方向に隣り合う接着部３３同士の間を通って上下方向に延びるものとなる。
【００４７】
接着部３３は、フラップ罫線２３から蓋フラップ２４の下端にかけての中央よりも、下側に塗布されている。蓋フラップ２４の下端から接着部３３までの間隔Ｌ８は、蓋フラップ２４の上下方向の長さ（すなわち、蓋フラップ２４の上縁から蓋フラップ２４の下端までの長さ）Ｌ１の１０％〜３０％（好ましくは、１５％〜２５％）に設定されている。また、各接着部３３の内、左右方向の両端に位置する接着部３３ａの左右方向の長さＬ６は、その他の接着部３３の左右方向の長さＬ７よりも短くなっている。その他の接着部３３の左右方向の長さＬ７は、隣り合う谷折線２６同士の間隔Ｌ２の３０％〜４５％の値に設定されている。左右方向の両端に位置する接着部３３ａの左右方向の長さＬ６は、その他の接着部３３の左右方向の長さＬ７の４０％〜６０％の値に設定されている。なお、接着剤３２として、ホットメルト接着剤を用いることができる。
【００４８】
次に、図９〜図１１を参照して包装箱２の開封について説明する。
【００４９】
まず、図９に示すように、蓋フラップ２４の開封用の引き上げ部２８を掴み、蓋フラップ２４を上方へと引き上げて、蓋フラップ２４の左右方向の一端（図では左端）を包装箱２の外面から引き剥がす。
【００５０】
次に、図１０に示すように、蓋フラップ２４の持ち上げる位置をずらしながら、蓋フラップ２４を引き剥がす範囲を、蓋フラップ２４の左右方向の一端（図では左端）から他端（図では右端）に向けて拡大する。このときに、蓋フラップ２４が谷折線２６に沿って変形し、蓋フラップ２４の非接着部が浮き上がる。
【００５１】
ここで、谷折線２６が上下方向に対して傾斜して延びているため、図１１に示すように、蓋フラップ２４の非接着部が浮き上がると、蓋フラップ２４に上下方向に延びる折線３４が形成される。折線３４は接着部３３より左側の位置に形成される。非接着部が浮き上がると、この折線３４に沿って蓋フラップ２４がたわむため、非接着部の浮き上がる範囲が、上下方向に対して傾斜して延びる比較的広い範囲となるように蓋フラップ２４の変形が誘導され、蓋フラップ２４の左右方向の途中の一箇所にせん断力が集中しにくくなる。
【００５２】
そのため、開封時に、蓋フラップ２４が左右方向の途中で、蓋フラップ２４の下端から上端まで裂けるように破れるのを防止することができる。また、破断線を用いずに開封することが可能である。
【００５３】
ここで、上述の通り、複数本の谷折線２６は、それぞれ、フラップ罫線２３と蓋フラップ２４の下端とを結ぶように、蓋フラップ２４を上下に横断して形成されている。このため、蓋フラップ２４を包装箱２の外面から引き剥がすときに、蓋フラップ２４の非接着部の浮き上がる範囲が、上下方向に対して傾斜して延びる比較的広い範囲となるように、蓋フラップ２４の変形を確実に誘導することが可能となっている。
【００５４】
また、上述の通り、複数の谷折線２６は、互いに平行で、同方向に傾斜しているので、図１０に示すように、一箇所の接着部３３が剥がされて、蓋フラップ２４の同箇所が浮き上がると、この浮き上がった箇所の接着部３３に隣り合う谷折線２６に沿って、蓋フラップ２４がさらに変形する。この変形により、さらに隣の接着部３３が剥がれやすくなる。このように、蓋フラップ２４を引き上げると、引き上げた箇所から近い接着部３３から順番に、連続的に各接着部３３が剥がれやすい。このため、蓋フラップ２４を引き上げて、蓋フラップ２４を包装箱２から一気に引き剥がしやすくなっている。
【００５５】
また、上述の通り、複数の谷折線２６が、蓋フラップ２４の左右方向の一端から他端にかけての全域において、互いに平行で、同方向に傾斜しているので、蓋フラップ２４の左右方向の一端から他端にかけての全ての接着部３３が、引き上げた箇所から近い順番に、連続的に剥がれやすい。このため、より確実に蓋フラップ２４を包装箱２から一気に引き剥がしやすくなっている。
【００５６】
また、上述の通り、蓋フラップ２４には、左右方向に隣り合う互いに平行な谷折線２６同士の間に、略ひし形の谷折線非形成部２７が形成されている。このため、蓋フラップ２４を引き上げたときに、蓋フラップ２４の略ひし形の谷折線非形成部２７が浮き上がる。この谷折線非形成部２７が略ひし形をなしているため、蓋フラップ２４の浮き上がる範囲もより広いものとなり、蓋フラップ２４を包装箱２の外面から引き剥がしやすくなっている。
【００５７】
また、上述の通り、各谷折線２６は、上下方向に対して３０°〜６５°の傾斜角（θ）をもって傾斜している。このため、蓋フラップ２４を引き剥がすときに、上下方向に対して３０°〜６５°傾斜する谷折線２６に沿って蓋フラップ２４が変形し、蓋フラップ２４の非接着部の浮き上がる範囲が、左右方向に比較的広くなっている。このため、蓋フラップ２４を包装箱２から引き剥がしやすく、包装箱２はより開封しやすいものとなっている。
【００５８】
また、蓋フラップ２４は、左右方向に細長い矩形状をなしている。このため、蓋フラップ２４の開封性を確保しながら、蓋板２２を包装箱２の外面に接着するための蓋フラップ２４の面積を抑えることが可能である。
【００５９】
ここで、蓋フラップ２４の段目方向が、上下方向であるため、特に蓋フラップ２４が左右方向の途中で破れる問題が生じやすいが、上記の考案を適用することにより、包装箱２の開封時に、蓋フラップ２４が左右方向の途中で、蓋フラップの下端から上端まで裂けるように破れるのを効果的に防止することが可能となっている。
【００６０】
上記の実施形態では、蓋フラップ２４、２５のうち、蓋フラップ２４にのみ、複数本の谷折線２６を形成している。しかし、蓋フラップ２５も、蓋フラップ２４と同様に、複数本の谷折線２６を形成することができる。この場合には、接着剤３２は、蓋フラップ２５に形成された谷折線２６に重ならないように、隣り合う谷折線２６同士のそれぞれの間に設けられた接着部３３で、蓋フラップ２５の内面と包装箱２の外面を接着するように塗布される。
【００６１】
また、上記の実施形態の複数本の谷折線２６は、互いに平行な直線状に形成したが、図１２に示すように、弓形状とすることもできる。この場合、谷折線２６は、蓋フラップ２４の左右方向の一端から他端にかけての全域において、それぞれ右下がりに傾斜しつつ、図示左下の方に向かって膨らむように形成されている。隣り合う谷折線２６同士の間のそれぞれには、谷折線非形成部２７が形成される。この谷折線２６の長さは、隣り合う谷折線２６同士の間隔Ｌ２の、９０％〜１３０％（好ましくは１００％〜１２０％）の値となるように設定されている。
【００６２】
また、上記実施形態では、包装箱２のブランク４、及び蓋体３のブランク５を、段ボールによって形成されているものとした。しかし、包装箱２のブランク４、及び蓋体３のブランク５は、平坦な板紙を貼り合わせた合紙等の厚紙により形成されているものを採用することができる。
【００６３】
また、谷折線２６は蓋フラップ２４の外面が窪んだ逆罫線の他、裏ライナ側から中しんの中ほどまで切り込んだ半切りによる線でもよい。あるいは裏ライナ側が窪んだ通常罫線や、通常罫線と全切りによる線とが交互に並ぶリード罫線であっても、谷折線（すなわち、蓋フラップ２４の外面の側が凹となる向きに蓋フラップ２４が曲がるよう蓋フラップ２４の変形を誘導する線）として機能すれば線種は問わない。
【００６４】
また、上記実施形態では、複数本の谷折線２６が、蓋フラップ２４の左右方向の一端から他端にかけての全域において、互いに平行な直線状に形成されているものを例に挙げて説明したが、複数本の谷折線２６は、蓋フラップ２４の左側部分に形成された谷折線２６が、互いに平行に延びる右下がりの直線状になるように形成され、蓋フラップ２４の右側部分に形成された谷折線２６が、互いに平行に延びる左下がりの直線状に形成されているものとすることができる。このようにすると、蓋フラップ２４を左右いずれの側からも、容易に引き剥がすことが可能となる。
【００６５】
また、上記実施形態では、この考案の包装箱２は、底板７と、底板７から上方に延びる胴部２０からなる、いわゆるトレイ型の段ボール箱を例に挙げて説明したが、底板７と、底板７から上方に延びる胴部２０とを有するものであれば、他の形式の包装箱（例えば、ラップアラウンドケースや、いわゆるＢ式の箱、あるいは１つの蓋に対して複数のトレイが並ぶ小分け包装等）を採用することができる。
【００６６】
また、上記実施形態では、後面板１１の上縁と蓋板２２の後縁とが分離し、包装箱２と蓋体３とが分かれた２ピースの形式の段ボール箱を例に挙げて説明したが、後面板１１の上縁と蓋板２２の後縁が罫線を介して繋がり、包装箱２と蓋体３とが一体となった身蓋一体型の段ボール箱を採用することができる。
【００６７】
また、上記実施形態では、直方体状の包装箱２を例に挙げて説明したが、包装箱２は、６角形の底板７を有する六角柱状のものや、８角形の底板７を有する八角柱状のものとすることができる。
【００６８】
ラップアラウンドケースを採用した場合の包装箱２を図１３に示す。包装箱２のブランク３５は、表ライナと、裏ライナと、表ライナと裏ライナの間に挟まれた波形の中しんとをもつ段ボールで形成されている。図１３は、ブランク３５を表ライナ側からみた図である。
【００６９】
ブランク３５は、前面板１０と、底板７と、後面板１１と、蓋板２２とが、罫線３８を介して順に連設されている。罫線３８は、段ボールの段目に垂直な方向に延びる折目線である。前面板１０、底板７、後面板１１、蓋板２２のそれぞれの左右方向の両側には、罫線３９を介して端フラップ３７が設けられている。前面板１０に設けられた端フラップ３７、底板７に設けられた端フラップ３７、後面板１１に設けられた端フラップ３７、蓋板２２に設けられた端フラップ３７は、いずれも同じ長さを有し、各端フラップ３７の先端縁が同一直線上に位置している。底板７と蓋板２２に連設された端フラップ３７は、図１５に示すように、包装箱２を組み立てたときに側板８を構成する。この側板８と、前面板１０と、後面板１１とは、包装箱２の胴部２０を構成する。
【００７０】
図１４に示すように、蓋板２２には、蓋板２２の前縁に形成されたフラップ罫線２３を介して、蓋フラップ２４が連設される。フラップ罫線２３は、ブランク３５の、左右方向の一端から他端にかけて延びている。フラップ罫線２３は、図１５に示すように包装箱２を組み立てたときに、蓋フラップ２４の内面の側が窪むように形成されている。すなわち、フラップ罫線２３は、ブランク３５の裏ライナの側が窪むように形成されている。
【００７１】
図１４に示すブランク３５は、例えば、以下のようにして組み立てることができる。
【００７２】
裏ライナが上面となるようにブランク３５を配置し、底板７の上に商品（図示省略）を載せる。そして、その商品を、底板７に対して上方に折り曲げた前面板１０と、後面板１１と、後面板１１の上縁に沿って水平に折り曲げた蓋板２２とで包み込み、蓋フラップ２４をフラップ罫線２３に沿って下方に折り曲げ、前面板１０の外面に蓋フラップ２４の内面を接着して筒体を形成する。その後、筒体の両端を各端フラップ３７で閉じて接着すると、図１５に示すように、商品を収容した状態の包装箱２が得られる。このとき、側板８と、前面板１０と、後面板１１は、包装箱２の底板７から上方に延びる胴部２０を構成し、その胴部２０の外面に蓋フラップ２４が接着されている。また、前面板１０、後面板１１に連設された端フラップ３７は、内フラップを構成し、底板７と蓋板２２に連設された端フラップ３７は、外フラップを構成している。
【００７３】
また、上記実施形態では、蓋フラップ２４が接着される包装体として、包装箱を採用した例を説明したが、この考案は、例えば封筒タイプの包装体など包装箱以外の包装体にも適用することができる。封筒タイプの包装体に適用する場合、包装体は、例えば、表裏で対向配置された方形状の表側シートおよび裏側シートの３辺同士がつながり、包装体の上端に位置する残り１辺の部分が開口した構成のものを採用することができる。この場合、蓋フラップ２４は、表側シートの上縁にフラップ罫線２３を介して連設されたものを採用することができる。蓋フラップ２４は、フラップ罫線２３に沿って下方に折り曲げて、包装体の外面（裏側シート）に接着剤３２で接着される。
【符号の説明】
【００７４】
２    包装箱
７    底板
８    側板
１０  前面板
１１  後面板
２０  胴部
２２  蓋板
２３  フラップ罫線
２４  蓋フラップ
２６  谷折線
２７  谷折線非形成部
３２  接着剤
３３  接着部
θ    傾斜角
【図１】
0003225485.tif 000003
【図２】
0003225485.tif 000004
【図３】
0003225485.tif 000005
【図４】
0003225485.tif 000006
【図５】
0003225485.tif 000007
【図６】
0003225485.tif 000008
【図７】
0003225485.tif 000009
【図８】
0003225485.tif 000010
【図９】
0003225485.tif 000011
【図１０】
0003225485.tif 000012
【図１１】
0003225485.tif 000013
【図１２】
0003225485.tif 000014
【図１３】
0003225485.tif 000015
【図１４】
0003225485.tif 000016
【図１５】
0003225485.tif 000017
【手続補正書】
【提出日】令和2年1月10日(2020.1.10)
【手続補正１】
【補正対象書類名】実用新案登録請求の範囲
【補正対象項目名】請求項８
【補正方法】変更
【補正の内容】
【請求項８】
前記包装体（２）の上部開口を閉じる蓋板（２２）をさらに有し、
前記蓋フラップ（２４）は、前記蓋板（２２）の前縁に前記蓋フラップ（２４）の上縁が重なるように、前記フラップ罫線（２３）を介して前記蓋板（２２）に設けられ、前記フラップ罫線（２３）に沿って下方に折り曲げられている請求項２に記載の包装体の開封用罫線構造。